(57)【要約】【課題】中性脂肪等の低減やＩＲＳ−２の増加等の効果のある透光部材を提供する。【解決手段】目が受光する光のうち少なくとも波長４６０ｎｍの光を遮光又は透過抑制する透光部材１により上記課題を解決する。透光部材１はめがねレンズでもめがね全体でもよい。めがねは、少なくとも波長４６０ｎｍの光を遮光又は透過抑制するレンズ２と、少なくとも波長４６０ｎｍの光を遮光又は透過抑制するリム３とを有することが好ましい。リム３については、リム３とめがね装着者の顔面との隙間を少なくするか又は顔面に当てて隙間をなくす張り出し部分３ａを備えていることが好ましい。【選択図】図１
2017175873.tif 000002
【特許請求の範囲】
【請求項１】
目が受光する光のうち少なくとも波長４６０ｎｍの光を遮光又は透過抑制することを特徴とする透光部材。
【請求項２】
前記少なくとも波長４６０ｎｍの光が、４４０ｎｍ以上５００ｎｍ以下の波長の光である、請求項１に記載の透光部材。
【請求項３】
めがねレンズである、請求項１又２に記載の透光部材。
【請求項４】
前記透光部材がめがねであり、少なくとも波長４６０ｎｍの光の透過を遮光又は抑制するレンズと、少なくとも波長４６０ｎｍの光を遮光又は透過抑制するするリムとを有する、請求項１又は２に記載の透光部材。
【請求項５】
前記リムは、該リムとめがね装着者の顔面との隙間を少なくするか又は顔面に当てて隙間をなくす張り出し部分を備えている、請求項４に記載の透光部材。
【請求項６】
前記透光部材が透明シートであり、少なくとも波長４６０ｎｍの光を遮光又は透過抑制する、請求項１に記載の透光部材。
【請求項７】
前記遮光又は透過抑制する光の波長は、４６０ｎｍ及びその付近のみの波長、又は４６０ｎｍ及びその付近を含む低波長側の波長である、請求項１〜６のいずれか１項に記載の透光部材。
【発明の詳細な説明】
【技術分野】
【０００１】
本発明は、やせるめがねに関する。さらに詳しくは、本発明は、代謝に関連する中性脂肪等の低減や血糖の低減やＩＲＳ−２の増加等の効果を生じさせるめがね、透光シート、透光プレート等の透光部材に関する。
【背景技術】
【０００２】
中性脂肪を下げるためには、脂肪が多く含まれる食品を避ける、なるべく中性脂肪を下げる食品を摂る、中性脂肪を下げるサプリメントなどを摂る、中性脂肪を脂肪酸に変えて燃焼させる、中性脂肪を生成する飲酒を控える、運動する等が望ましいとされている。これらは、摂取するものによって実現するものと、運動等によって実現するものとに大別することができる。【０００３】
代謝に関連する中性脂肪等の低減効果のある透光部材に関連する先行技術文献の検索を行ったが存在しなかった。また、下記特許文献１には、ブルーライトカットめがねに関する事項が記載されている。
【先行技術文献】
【特許文献】
【０００４】
【特許文献１】特開２０１４−９５８５５号公報
【発明の概要】
【発明が解決しようとする課題】
【０００５】
最近、パソコンや携帯電話の表示画面から発するブルーライトや紫外線等から眼を保護するためのめがねが販売されている。そうしためがねは、表示画面から発する光で目が疲れるのを防ぐことを目的としたものである（特許文献１を参照）。【０００６】
本発明の目的は、やせるめがね等の透光部材を提供することである。さらに詳しくは、本発明の目的は、代謝に関連する中性脂肪等の低減や血糖の低減やＩＲＳ−２の増加等の効果を生じさせるめがね、透光シート、透光プレート等の透光部材を提供することにある。
【課題を解決するための手段】
【０００７】
本発明者は、夜間に、ブルーライトや紫外線等から眼を保護するためのめがねを装着していたところ、驚くべきことに、中性脂肪等の低減やＩＲＳ−２の増加等することを見いだした。本発明はこうした知見に基づいてなされたものである。【０００８】
本発明に係る透光部材は、目が受光する光のうち少なくとも波長４６０ｎｍの光を遮光又は透過抑制することを特徴とする。この発明によれば、少なくとも波長４６０ｎｍの光を遮光又は透過抑制するので、特に夜間に設置又は装着することにより、血液中の中性脂肪等の減少やＩＲＳ−２の増加等するなどの変化が生じ、その結果として体重の減少が起こってやせることができたと推認された。【０００９】
本発明に係る透光部材において、前記少なくとも波長４６０ｎｍの光が、４４０ｎｍ以上５００ｎｍ以下の波長の光であることが好ましい。【００１０】
本発明に係る透光部材は、めがねレンズであることが好ましい。この発明によれば、夜用のめがねレンズとすることができる。【００１１】
本発明に係る透光部材において、前記透光部材がめがねであり、少なくとも波長４６０ｎｍの光を遮光又は透過抑制するレンズと、少なくとも波長４６０ｎｍの光を遮光又は透過抑制するするリムとを有する。そうしためがねを特に夜間に装着する夜用めがねとした結果、血液中の中性脂肪等の減少やＩＲＳ−２の増加等するなどの変化が生じ、上記効果を奏すると推認された。【００１２】
本発明に係る透光部材がめがねである場合において、前記リムは、該リムとめがね装着者の顔面との隙間を少なくするか又は顔面に当てて隙間をなくす張り出し部分を備えていることが好ましい。この発明によれば、そうした張り出し部分から目に光が入り込むのを抑制することができる。【００１３】
本発明に係る透光部材において、前記透光部材が透明シートであり、少なくとも波長４６０ｎｍの光を遮光又は透過抑制する。こうした透明シートを室内照明やディスプレイ等の光源に設置して特に夜間に機能させることにより、血液中の中性脂肪等の減少やＩＲＳ−２の増加等するなどの変化が生じた。【００１４】
本発明に係る透光部材において、前記遮光又は透過抑制する光の波長は、４６０ｎｍ及びその付近（例えば波長４４０ｎｍ〜５００ｎｍ）のみの波長であってもよいし、波長４６０ｎｍ及びその付近よりも低波長側の波長であってもよい。少なくとも４６０ｎｍ及びその付近の波長の光を遮光又は透過抑制できる透光部材であれば、その周辺の波長の光だけ遮光又は透過抑制したものであっても効果があり、その波長付近よりも低波長側の全ての波長（可視光域及び紫外光域を含む。）を遮光又は透過抑制したものでも効果がある。なお、透光部材の色の観点では、遮光又は透過抑制する波長を４６０ｎｍ及びその付近（例えば４４０ｎｍ〜５００ｎｍ）のみにして、後述の図５及び図８のように、それ以下の波長域の可視光を一部透過させた方が、透光部材の色味を薄くすることができるので好ましい。
【発明の効果】
【００１５】
本発明によれば、中性脂肪等の低減やＩＲＳ−２の増加等の効果のあるめがねや透光シート等の透光部材を提供することができる。
【図面の簡単な説明】
【００１６】
【図１】本発明に係る透光部材の一例を示すめがねである。
【図２】本発明に係る透光部材の他の一例を示す透光シートである。
【図３】図２に示す透光シートの設置態様例である。
【図４】透光部材の透過率曲線の一例である。
【図５】透光部材の透過率曲線の他の一例である。
【図６】（Ａ）は図４に示す透光部材をレンズにしためがねである。（Ｂ）は図５に示す透光部材をレンズにしためがねである。
【図７】一般的に市販されているＵＶカットめがねの透過率曲線の一例である。
【図８】本発明の効果を奏するのに有効な透過率曲線である。
【図９】夜間に図６（Ａ）に示すめがねを１ヶ月使用する装着前と装着後１か月の比較結果である。
【図１０】個々のマウスのホイールランニング記録である。（Ａ）は白色光パルス（青色光成分を含む）の場合である。（Ｂ）青色光カット光パルス（青色光成分は含まない）の場合である。
【図１１】白色光パルスと青色光カット光パルスを照射した後の位相シフトである。
【図１２】白色光パルスと青色光カット光パルスを照射した後の視床下部視交叉上角（ＳＣＮ）におけるＰｅｒ２の発現を示すグラフである。
【図１３】白色光パルスと青色光カット光パルスを照射した後、２４時間後と４８時間後の血糖値を示すグラフである。
【図１４】白色光パルスと青色光カット光パルスを照射した後、４８時間後に採取された肝臓におけるインスリン受容体基質（ＩＲＳ−２）の発現を示すグラフである。
【発明を実施するための形態】
【００１７】
本発明に係る透光部材について図面を参照しつつ説明する。本発明は、本願記載の要旨を含む限り以下の実施形態及び実施例に限定されるものではなく、種々の態様に変形可能である。
【００１８】
［透光部材］
本発明に係る透光部材は、目が受光する光のうち少なくとも波長４６０ｎｍの光を遮光又は透過抑制することを特徴とする。透光部材としては、図１及び図２に示すように、めがねレンズ２、めがね１（レンズ２、リム３を含む。）、透光シート１１等を挙げることができる。目が受光する光のうち少なくとも波長４６０ｎｍの光を遮光又は透過抑制する透光部材を、主に室内で特に夜間に設置又は装着することにより、血液中の中性脂肪等の減少やＩＲＳ−２の増加等するなどの変化が生じ、その結果として体重の減少が起こってやせることができたと推認された。
【００１９】
以下、めがね１と透光シート１１について詳しく説明する。
【００２０】
（めがね）
めがね１は、図１に示すように、少なくとも波長４６０ｎｍの光を遮光又は透過抑制するレンズ２（めがねレンズ２ともいう。）と、少なくとも波長４６０ｎｍの光を遮光又は透過抑制するリム３とを有している。こうしためがね１を特に夜間に装着した結果、後述の実験結果に示すように、血液中の中性脂肪等の減少やＩＲＳ−２の増加等するなどの変化が生じた。なお、透光部材１がめがねレンズ２だけであり、リム３等の部材は本発明に係る透光部材１を構成しないようにすることもでき、そのめがねレンズ２だけでも本発明の効果を少なくとも奏することができる。なお、その場合には、少なくとも波長４６０ｎｍの光がリム３等を透過したり、隙間から目に入ったりすることはある。
【００２１】
少なくとも波長４６０ｎｍの光を遮光又は透過抑制するめがね１の部位は、その光（少なくとも４６０ｎｍの光）が目に入るのを防ぐことができる部位であることが好ましい。したがって、レンズ２、そのレンズ２を保持するリム３、リム３と一体化してリム３から張り出している張り出し部分３ａ等を挙げることができる。この張り出し部分３ａは、リム３とめがね装着者の顔面との隙間を少なくするか又は顔面に当てて隙間をなくすので、上記少なくとも波長４６０ｎｍの光が目に光が入り込むのを防ぐことができる。
【００２２】
なお、めがね１を構成する部分としては、ヨロイ４、ヒンジ５、テンプル６、モダン７、ブリッジ８がある。これらのうち、めがね装着者の顔面との隙間を生じやすいヨロイ４、ヒンジ５の各形状を、その隙間が小さくなるように又は顔面に当てて隙間をなくすように張り出したり大きくしたりしてもよい。こうすることにより、上記少なくとも波長４６０ｎｍの光が目に光が入り込むのを防ぐことができる。
【００２３】
少なくとも波長４６０ｎｍの光を遮光又は透過抑制するには、その波長域を含む波長の光をカットできる特殊なレンズ２やめがね構成部品（リム３や張り出し部分３ａ等）で実現できる。レンズ材質としては、ガラス製でもプラスチック製でもよい。そうしたレンズ２やめがね構成部品は、特定波長の透過や遮光を選択的に付与する公知の技術を組み合わせて実現できる。
【００２４】
「少なくとも対象の当該波長４６０ｎｍの光」については、図４の実測データに示すように、波長４６０ｎｍ及びその付近（例えば４４０ｎｍ〜５００ｎｍ）を含む波長域で光が遮光又は透過抑制されたものであってもよい。また、図５の実測データに示すように、波長４６０ｎｍ及びその付近（例えば４４０ｎｍ〜５００ｎｍ）の波長の光を遮光又は透過抑制して、また同時にそれ以下の波長の一部（例えば４００ｎｍ〜４４０ｎｍ）を透過させて、透光部材の色味を薄くしてもよい。少なくとも４６０ｎｍの光を遮光又は透過抑制できるレンズ２等であれば、例えば４４０ｎｍ〜５００ｎｍの波長の光だけ遮光又は透過抑制したものであっても効果があり、その波長以下の全ての低波長側の光を遮光又は透過抑制したものでも効果がある。
【００２５】
ここで、４６０ｎｍの付近の光を４４０ｎｍ〜５００ｎｍとしている。その意味は、４６０ｎｍを中心とした特定範囲ということであり、４４０ｎｍ〜５００ｎｍで遮光又透過抑制されることが好ましい。ただし、厳密に４４０ｎｍ〜５００ｎｍである必要はなく、例えば下限値は４３０ｎｍや４５０ｎｍであってもよいし、上限値は５１０ｎｍでも４９０ｎｍであってもよい。基本的には、４６０ｎｍをおよそ中心にした波長範囲という意味であって、波長範囲が際限のなく広がらないように特定して本発明の効果を十分に実現できない範囲まで拡張しない意味である。好ましくは、上記のように、４４０ｎｍ〜５００ｎｍであるが、４４０ｎｍ〜５２０ｎｍ程度としてもよい。なお、図７に示すような一般的な従来のＵＶカットめがねは、約４００ｎｍ付近で光の透過率が急激に減少するものであり、このようなめがねでは本発明の効果を奏しない。なお、図４及び図５に示す透過率曲線は、一般的な紫外可視分光光度計で測定できるが、本発明では、後述の実験で用いたレンズの透過率曲線と同様、島津製作所の紫外可視分光光度計（ＵＶ−２６００）を用いて測定した。
【００２６】
レンズ２等の透光部材１の着色の問題は装着者の好みの問題でもあり、本発明が奏する効果には本質的に関係しない。しかし、色の好み等をある程度考慮した場合、本発明の効果を最低限維持しつつ色を薄くすることが望ましい。例えば、図４に示す透過率曲線の実測値のように約５００ｎｍ以下の波長を全て遮光又は透過抑制するレンズ等では、図６（Ａ）に示すように色が濃いオレンジ色になるので、装着者によっては好まない場合も考えられる。一方、図５に示すように４４０〜５００ｎｍの光は透過抑制するが、４００〜４３０ｎｍ程度の一部の光を透過させるレンズ２等では、図６（Ｂ）に示すように色がかなり薄くなって違和感のない色にすることができる。なお、図５に示す透過率曲線では、約５５０ｎｍよりも長波長側の透過率（９０％以上）に比べて、４００〜４３０ｎｍ程度で表れるピークではその透過率は約２０％であるが、色味低減の点では効果があった。
【００２７】
本発明の効果を実現するとともに、色味についても配慮した透過率に関し、図８を用いて説明する。図８において、符号Ａは５００ｎｍ超の光が透過する波長領域である。符号ａはその透過領域の下限波長である。符号ａ’は透過領域の透過率である。符号Ｂは遮光又透過抑制される波長領域である。符号ｂはその領域の透過率である。符号Ｃは、光を透過させる波長領域である。符号ｃ’はその領域の透過率である。符号ｃは遮光又透過抑制領域Ｂとの高波長側の境界波長である。符号ｄは遮光又透過抑制領域Ｂとの低波長側の境界波長である。符号Ｄは、４００ｎｍより低波長側の遮光又透過抑制される波長領域である。
【００２８】
本発明の効果を実現するとともに色味についても配慮した場合、（１）領域Ａで光が透過する波長領域は、その透過領域の下限波長ａが５００ｎｍ超であることが好ましく、例えば５２０ｎｍ超としてもよい。なお、透過領域Ａでの透過率ａ’は特に限定されないが、通常、８５％〜９９％程度の範囲内であればよい。こうすることで、夜間使用時に必要以上に視界が暗くならずに済むし、加えて５００ｎｍ以下の光が領域Ｂで遮光又透過抑制されることになるので、本発明の効果を奏することができる。なお、図８は矩形状に示しているが、通常は図４及び図５に示すような曲線になっている。したがって、透過領域の下限波長ａである５００ｎｍ超付近では、図４及び図５に示すように曲線の裾野が存在する形態になっている。その裾野の透過率は、例えば図５に示すような１５％以下程度であればよい。
【００２９】
（２）領域Ｂで光を遮光又透過抑制する波長領域は、本発明の効果を奏するための本質的な領域であり、その範囲は４６０ｎｍ及びその付近の波長を遮光又透過抑制することが好ましい。具体的には４４０ｎｍ〜５００ｎｍであることが好ましく、また、４４０ｎｍ〜５２０ｎｍとしてもよい。遮光又透過抑制される領域Ｂの透過率ｂとしては、例えば図４及び図５に示すように、０％以上１０％未満であることが好ましい。この程度の遮光又透過抑制によって、本発明の効果を実現することができる。なお、この領域Ｂにおいても、領域Ａで説明したのと同様、図８では矩形状に示しているが、通常は図４及び図５に示すような曲線になっている。したがって、遮光又透過抑制領域Ｂの両側の境界波長ａ，ｃの付近では、図５に示すように曲線の裾野が存在する形態になっている。その裾野の透過率は、例えば図５に示すような１５％以下程度又は１０％程度以下であればよい。
【００３０】
（３）領域Ｃで光を透過させる波長領域は、レンズ等の透光部材の色味を調整するのに有意義である。遮光又透過抑制領域Ｂとの高波長側の境界波長ｃは、４４０ｎｍであることが好ましいが、色味との関係であるので例えば４３０ｎｍでも４２５ｎｍでもよく、図５に示すように透過率曲線の裾野が存在していてもよい。そうした裾野については、領域Ａ，Ｂで説明したのと同様、図８では矩形状に示しているが、通常は図４及び図５に示すような曲線になっている。したがって、領域Ｃの両側の境界波長ｃ，ｄの付近では、図５に示すように曲線の裾野が存在する形態になっている。その裾野の透過率は、例えば図５に示すような１０％程度以下であればよい。また、遮光又透過抑制領域Ｂとの低波長側の境界波長ｄは、４００ｎｍであることが好ましいが、色味との関係であるので例えば４０５ｎｍでも３９５ｎｍでもよく、例えば図５に示すように透過率曲線の裾野が存在していてもよい。この領域Ｃでの透過率ｃ’も色味との関係で任意に調整することができる。例えば、図５では領域Ｂの透過率ｂよりも大きくピーク値は２５％以下程度になっているが、これに限定されず、色味との関係で任意に調整することが好ましい。
【００３１】
（４）４００ｎｍより低波長側の遮光又透過抑制される波長領域Ｄでは、光は透過しないか極力透過しないことが好ましい。こうすることで、本発明の効果を奏することができる。なお、そもそも夜間には４００ｎｍ以下の光は存在しない又は存在し難い。そのため、このめがね等の透光部材を夜間に装着又は設置するときには、前記のように４００ｎｍ以下の光を透過させないものであることが好ましいが、透過するものであっても構わないといえる。
【００３２】
色味の調整手段についてさらに詳しく説明する。色味は、上記のように、低波長側の透過性を付与して改善できる。色味の程度を小さくする場合、例えば図５に示すように４００ｎｍ〜４４０ｎｍの波長範囲に光の透過部分があることが好ましい。その場合の透過率は、できるだけ高い方が色味が減少するので望ましい。例えば、図５に示すように、５５０ｎｍ以上の透過率が９０％を超える場合に、４００ｎｍ〜４４０ｎｍの波長範囲の光の透過率は、その最大値は２０％以上になっている。こうしたレベルの透過率とすることにより、透光部材１の色味を図６（Ｂ）に示すように減少させることができる。なお、４００ｎｍ〜４４０ｎｍの波長範囲の透過率は、色味との関係で任意に調整することが好ましいが、例えば３０％以上、４０％以上としてもよい。しかし、あまり高くなると、特定の波長範囲（例えば４００ｎｍ〜４４０ｎｍ）だけが矩形状に高くなっている場合を除き、透過率曲線の裾野が本発明の効果を担保する４６０ｎｍの透過率を押し上げてしまうことがある。なお、透過率曲線を選択的に調整する手段は特に限定されず、ガラスやめがねの技術分野で行われる多層膜コーティング等の公知の技術手段を利用することができる。これらのことは、後述する透光シート１１においても同様である。
【００３３】
（透光シート）
透光シート１１もめがね１と同様であり、図２及び図３に示すように、少なくとも波長４６０ｎｍの光を遮光又は透過抑制するシートである。こうした透光シート１１を設置して特に夜間に機能させることにより、血液中の中性脂肪等の減少やＩＲＳ−２の増加等するなどの変化が生じた。
【００３４】
「少なくとも４６０ｎｍの光」についての種々の事項は、上記めがね１の説明内容と同じであるので説明を省略する。
【００３５】
透光シート１１の設置は、図３に示すように、室内照明２１の前面に設置して目に入らないようにしてもよいし、ディスプレイ２２やスマートフォン２３のパネル面に貼り合わせて目に入らないようにしてもよい。
【００３６】
以上説明したように、本発明に係る透光部材（めがね１、透光シート１１）によれば、その装着や設置によって、中性脂肪等の低減やＩＲＳ−２の増加等を実現できた。また、後述の実験２等で確認されたように、血糖の低下やインスリン抵抗性の改善効果も得られることが分かった。
【実施例】
【００３７】
以下、実施例により本発明をさらに詳しく説明する。【００３８】
［実験１］
３８０〜５００ｎｍの波長域の光をほぼ完全に通さないレンズを取り付けためがねを準備した。図１はそのめがねの形状であり、図４はレンズの透過率曲線、そして図６（Ａ）が図４に示す透光部材をレンズにしためがねである。【００３９】
実験対象者を６名（年齢：２２歳〜５５歳、性別：男３名、女３名）とし、めがねを、日中はかけないで、就寝時刻の３，４時間前から就寝時までめがねを着用させた。これを１か月間継続させた。なお、それ以外の飲酒や昼寝等については特に制限を設けなかった。【００４０】
測定項目は、（１）睡眠検査：ＰＳＱＩ（ピッツバーグ睡眠質問票  Ｐｉｔｔｓｂｕｒｇｈ  Ｓｌｅｅｐ  Ｑｕａｌｉｔｙ  Ｉｎｄｅｘ）、アクチグラフィ、尿中メラトニン、（２）血液検査：ＡＳＴ（ＧＯＴ），ＡＬＴ（ＧＰＴ），ＴＧ，ＨＤＬ−ｃｈｏ，ＬＤＬ−ｃｈｏ，Ｇｌｕｃｏｓｅ，ＨｂＡ１Ｃ，Ｃ  ｐｅｐｔｉｄｅ，Ｉｎｓｕｌｉｎ、（３）身体測定：身長、体重、腹囲、血圧、とした。【００４１】
［結果］
図９（Ａ）は実験開始時と１ヶ月後のＰＳＱＩスコアを示している。ＰＳＱＩスコアは睡眠の質を表しており、小さい値ほど良質の睡眠を意味する。今回の実験では、実験開始時はＰＳＱＩスコアで平均５．５であったが、１ヶ月後には３．８（Ｐ値０．０５未満、ｐａｉｒｅｄ  ｔ−ｔｅｓｔ）に改善された。【００４２】
脂肪代謝として、図９（Ｂ）に示すように、中性脂肪（Ｔｒｉｇｌｙｃｅｒｉｄｅ）の減少が見られた。具体的には、実験開始時と終了時で、平均で約２０％の数値改善が見られた。特に２名は顕著な減少が見られ、２５０から１６０までの低下、１５０から８０までの低下が見られた。【００４３】
糖代謝については、図９（Ｃ）に示すように、血糖値（Ｇｌｕｃｏｓｅ）の減少が見られた。具体的には、実験開始時と終了時で、平均で約１０％の数値改善が見られた。特に４名は顕著な減少が見られ、１０７から１０１への低下、８５から７８への低下、８０から７３への低下が見られた。【００４４】
これらの結果より、睡眠と中性脂肪は、めがね装着前に異常値であった例の改善が明確に見られ、睡眠の質、糖代謝、脂質代謝を改善させることがわかった。また、開始時に６６ｋｇであった者が終了時には６３．５ｋｇとなっており、体重の減少も一部に見られた。【００４５】
［実験２］
６週齢の雄Ｃ５７ＢＬ／６Ｊマウス（日本エスエルシー株式会社）を用い、光パルスを照射したときの概日リズムの影響を調べた。マウスを１２時間明、１２時間暗の下で１週間飼育した。次いで、マウスに、ツァイトゲーバー（Ｚｅｉｔｇｅｂｅｒ）時間（ＺＴ）１４で１０ルクスという弱い光を３０分間当てた。青色光カットシールドを有する又は有さない白色発光ダイオードＬＥＤ（東芝マテリアル株式会社）を光のケージの光パルスに使用した。その後、動物を一定の暗条件下に維持した。ホイールランニング活動を評価するための実験のために、マウスを単独で走行輪付きケージに収容した。また、動物に高脂肪食（Ｈｉｇｈ  Ｆａｔ  Ｄｉｅｔ３２、日本クレア株式会社）を与え、その後、動物に光パルスを照射した。血糖値は、光パルスの２４時間後および４８時間後にグルコメーター（テルモ株式会社）を用いて分析した。肝臓の試料を光パルスの４８時間後に採取した。【００４６】
図１０は、個々のマウスのホイールランニング記録であり、図１０（Ａ）は白色光パルスの場合であり、図１０（Ｂ）青色光カット光パルスの場合である。最初の７日間で、マウスの輪回し活動は、一貫して１２時間／１２時間といった明暗サイクルの下で維持されている。しかし、その後の恒常暗状態においては、マウスの輪回し活動開始時刻は、明暗サイクル期間に光を当てなかった場合は、毎日１５分ほど早くなる（これをマウスの自由継続（フリーラン）リズムと呼ぶ）。ＺＴ１４時間で光を当てた場合は、図１０に示すように、活動開始時刻にズレが生じる（これを位相が変化したと言う）。この位相の変化量が、図１０（Ａ）の白色光（白色光は青色光部分を含んでいる）の場合と、図１０（Ｂ）の青色光がカットされた光の場合で位相シフトの大きさが異なっているのが分かる。図１１は、図１０から求められた位相シフトを表しており、これより青色光成分が入っている白色光の方が大きく位相が後ろにずれていることが分かる。また、図１２は、視床下部視交叉上核（ＳＣＮ）における、時計遺伝子のひとつであるＰｅｒ２の発現の位相を示している。青色光を含む白色光は、青色光がカットされた白色光や光を当てない場合と比べて有意に位相が大きかった。これらの結果から、青色光がサーカディアンリズムを乱すことが分かる。【００４７】
次に、青色光がどのようにマウスの代謝系に影響を与えたかを見た。図１３は、高脂肪食を与えた後に、前節と同じ２種類の光パルスをマウスに当て、２４時間後、４８時間後における血糖値を示している。インスリンは、肝臓での糖産生を抑え、血糖値を下げる役割をしているのが知られている。高脂肪食が与えられると、肝臓の脂肪がインスリンシグナルを阻害する。それにより糖の産生が増え、血糖値も上昇する。肝臓における糖産生は、インスリン受容体基質（ＩＲＳ，Ｉｎｓｕｌｉｎ  Ｒｅｃｅｐｔｏｒ  Ｓｕｂｓｔｒａｔｅｓ）であるＩＲＳ−１とＩＲＳ−２が関係している。窪田らの研究（Ｋｕｂｏｔａ  Ｎ．，  ｅｔ  ａｌ，  Ｃｅｌｌ  Ｍｅｔａｂ．  ８：４９−６４，  ２００８）によって、ＩＲＳ−１は食後に、ＩＲＳ−２は絶食時に作用していることが判明した。本実験では、ＩＲＳ−１では有意な差は見られなかったが、ＩＲＳ−２は図１４に示すように青色光を含む場合と含まない場合で有意な差（Ｐ＜０．０５）が見られた。青色光を含む白色光（Ｗｈｉｔｅ）は、ＩＲＳ−２が少なく、これが高血糖につながる。
【符号の説明】
【００４８】
１  めがね（透光部材）
２  レンズ
３  リム
３ａ  張り出し部分
４  ヨロイ
５  ヒンジ
６  テンプル
７  モダン
８  ブリッジ
１１  透光シート（透光部材）
２１  室内照明
２２  ディスプレイ
２３  スマートフォン
【図１】
2017175873.tif 000003
【図２】
2017175873.tif 000004
【図３】
2017175873.tif 000005
【図４】
2017175873.tif 000006
【図５】
2017175873.tif 000007
【図６】
2017175873.tif 000008
【図７】
2017175873.tif 000009
【図８】
2017175873.tif 000010
【図９】
2017175873.tif 000011
【図１０】
2017175873.tif 000012
【図１１】
2017175873.tif 000013
【図１２】
2017175873.tif 000014
【図１３】
2017175873.tif 000015
【図１４】
2017175873.tif 000016
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
代謝に関連する中性脂肪の低減、血糖の低減、ＩＲＳ−２の増加、及びインスリンの抵抗性の改善、から選択される１又は２以上に作用するめがねであって、
少なくとも前記めがねを構成するレンズが、目が受光する光の透過率の異なるＡ〜Ｄの４つの波長領域の透過率曲線を有し、
波長領域Ａは、光が８５〜９５％の透過率で透過する透過領域であって、前記透過率曲線のうち下限波長である５００ｎｍ超付近の裾野の透過率が１５％以下であり、
波長領域Ｂは、光が遮光又は透過抑制される領域であって、４６０ｎｍ及びその付近の波長を含む４４０〜５００ｎｍの範囲内の透過率が０％以上１０％未満であり、前記透過率曲線のうち高波長側の境界波長である５００ｎｍ付近の裾野の透過率が１５％以下であり、
波長領域Ｃは、光が前記波長領域Ｂよりも大きく２５％以下の透過率で透過する領域であって、前記透過率曲線のうち高波長側の境界波長である４４０ｎｍ付近の裾野の透過率が１０％以下であり、低波長側の境界波長である４００ｎｍ付近の裾野の透過率が１０％以下であり、
波長領域Ｄは、４００ｎｍより低波長側で光が遮光又は透過抑制される領域であって、光が透過しないか極力透過しない、ことを特徴とするめがね。
【請求項２】
前記透過率曲線において、５５０ｎｍ以上の透過率が９０％を超える場合に、前記波長領域Ｃの光の透過率の最大値が２０％以上である、請求項１に記載のめがね。
【請求項３】
前記透光部材が、夜間装着用めがねである、請求項１又は２に記載のめがね。
【請求項４】
前記めがねを構成するリムが、少なくとも波長４６０ｎｍの光を遮光又は透過抑制する、請求項１〜３のいずれか１項に記載のめがね。
【請求項５】
前記リムは、該リムとめがね装着者の顔面との隙間を少なくするか又は顔面に当てて隙間をなくす張り出し部分を備えている、請求項４に記載のめがね。
【請求項６】
請求項１〜５のいずれか１項に記載のめがねの装着方法であって、前記めがねを、日中はかけないで、就寝時刻の３〜４時間前から就寝までの間に着用する、めがねの装着方法。
【国際調査報告】
2017175873.tif 000017
2017175873.tif 000018
2017175873.tif 000019
2017175873.tif 000020
2017175873.tif 000021